(57)【特許請求の範囲】
【請求項１】
樋状の照明カバーの下面開口部に装着され、直管形ランプを取り付ける照明器具を連結する連結金具であって、
照明器具は、断面倒コ字状を成した帯状の反射板と、該反射板の長手両端部に装着する直管形ランプ用のソケットと、該ソケット及び隣接する直管形ランプ用のソケットに電源を供給するコネクタと、を備え、連続する照明器具の隣接する反射板の長手両端部が相互に重合するように、該反射板の長手両端部にそれぞれ下向きの屈曲当接片が一対ずつ形成され、
連結金具は、反射板長手端部の周囲に嵌合する弾性帯板状の連結体と、該連結体に開穿され重合した一対の屈曲当接片を挿入せしめる一対の挿入孔とで構成され、
隣接する反射板相互の長手端部に連結体を嵌合すると共に、重合した屈曲当接片を挿入孔に挿入して隣接する照明器具相互を連結することを特徴とする照明器具の連結金具。
【請求項２】
前記連結体は、前記反射板の上端部に水平に係止する係止片と、該係止片から垂直に屈曲延長され前記反射板の側面に当接する垂直片と、該垂直片の下端部から水平に屈曲延長され前記反射板の反射面側に当接する当接片とで形成され、該当接片に前記挿入孔が一対形成され、該挿入孔の間に、キャノピースイッチ用の紐を挿通する挿通口を切欠状に設けた請求項１記載の照明器具の連結金具。
【請求項３】
樋状の照明カバーの下面開口部に装着され、断面倒コ字状を成した帯状の反射板と、該反射板の長手両端部に装着する直管形ランプ用のソケットと、該ソケット及び隣接する直管形ランプ用のソケットに電源を供給するコネクタと、を備え、連続する照明器具の隣接する反射板の長手両端部が相互に重合するように、該反射板の長手両端部にそれぞれ下向きの屈曲当接片が一対ずつ形成され、該屈曲当接片の間に開口部が形成され、該開口部からコネクタの連結状態を目視するように構成した照明器具と、
重合した一対の屈曲当接片を挿入せしめる一対の挿入孔が開穿され、反射板の長手端部に嵌合して開口部を閉塞する弾性帯板状の連結体を設けた連結金具と、を備えることを特徴とする照明装置。
【発明の詳細な説明】
【技術分野】
【０００１】
本発明は、照明カバーの下面に懸吊される直管形の照明器具を合理的に連設することができる照明器具の連結金具及び照明装置に関するものである。
【背景技術】
【０００２】
当出願人は、特許文献１に記載のごとく、直管形の蛍光灯器具を合理的に装着する連用蛍光灯システムを先に提案している。このシステムでは、レースウェイや金属ダクトを器具本体に利用するもので、配線・配管用として利用されているレースウェイや金属ダクトに直管形の蛍光灯器具を直接装着するシステムである。すなわち、レースウェイ等の開口部に固定基板を装着し、この固定基板にソケットや安定器などの器具を着脱自在に取り付けるように構成している。そして、直管形の照明器具を連設する場合、各固定基板に電源用の導体を埋設しておき、隣接する固定基板の導体相互を連結する接続具で電気的に接続する構成を採用している。
【０００３】
一方、レースウェイや金属ダクトを利用せず、天井面に直接ネジ止め固定する照明装置を連結する連結金具が特許文献２や特許文献３に記載されている。特許文献２の連結金具は、連結金具施工時のネジ止め作業を省略する目的で構成され、また、特許文献３の連結金具は、器具本体の製造誤差を吸収する目的で構成されたものである。いずれの連結金具も、器具本体の天面部に取付孔を開穿し、取付孔に挿入された固定部と連結部との間に隣接する器具本体の端部を連結する構成を採用している。
【先行技術文献】
【特許文献】
【０００４】
【特許文献１】特公平８−２１２５１号公報
【特許文献２】特許第３８６４５６９号公報
【特許文献３】特許第４２７３３８９号公報
【発明の概要】
【発明が解決しようとする課題】
【０００５】
特許文献１の連結金具は、レースウェイや金属ダクトの長手側面に沿った係止溝を利用して装着するものなので、接続具も固定基板の長手側面に沿った係止溝に嵌合する構成を有するものであった。そのため、特許文献１の連結金具を使用するには、係止溝を有するレースウェイや金属ダクトを器具本体として利用する場合に限られていた。
【０００６】
また、特許文献２や特許文献３に記載の連結金具は、天井面に直接ネジ止め固定する照明装置の間隔を一定にするものであり、この連結金具で照明器具相互を強固に連結するようには構成されていない。ところが、照明カバーの下面に懸吊する直管形の照明器具を連結する場合は、照明器具を天井面に直接ネジ止めしないので、照明器具相互の連結力を高める必要がある。
【０００７】
一方、蛍光灯の代替を目的として、従来の蛍光ランプと口金形状、長さなど構造的に互換性を有するさまざまな仕様の「直管蛍光ランプ形ＬＥＤランプ」が提供されている。ところが、この「直管蛍光ランプ形ＬＥＤランプ」は、蛍光管と異なり、安定器や点灯手段の変わりに専用の制御装置（ＬＥＤドライバ）が必要になる。
【０００８】
現在、「直管蛍光ランプ形ＬＥＤランプ」の仕様は、次の３つのタイプが提供されている。第１にＤＣ電源内蔵の商用電源直結形、第２にＤＣ電源非内蔵の新設ＤＣ入力形、第３にＤＣ電源内蔵の既設安定器接続形の３タイプである。しかも、第１と第２のタイプには、それぞれ両口金ピン両端給電方式と片側口金ピン間給電方式とがある。
【０００９】
この結果、「直管蛍光ランプ形ＬＥＤランプ」を装着する照明装置は、照明器具のタイプや方式が異なっていても着脱が容易になるように、照明カバーの下面に装着する構成が適している。しかも、この照明器具相互を連結する場合は、各照明器具に設置されたコネクタ等の電気的接続が分離しないように接続すると共に、連結強度を高め機械的接続を確実にする接続金具が必要になる。
【００１０】
そこで本発明は、上述の課題を解消すべく創出されたもので、照明カバーの下面に装着される直管形の照明器具を合理的、且つ強固に連設することができる照明器具の連結金具及び照明装置の提供を目的とするものである。
【課題を解決するための手段】
【００１１】
上述の目的を達成すべく本発明における第１の手段は、樋状の照明カバー１０の下面開口部に装着され、直管形ランプＰを取り付ける照明器具２０を連結する連結金具であって、照明器具２０は、断面倒コ字状を成した帯状の反射板２１と、該反射板２１の長手両端部に装着する直管形ランプＰ用のソケット２２と、該ソケット２２及び隣接する直管形ランプＰ用のソケット２２に電源を供給するコネクタ２３と、を備え、連続する照明器具２０の隣接する反射板２１の長手両端部が相互に重合するように、該反射板２１の長手両端部にそれぞれ下向きの屈曲当接片２１Ａが一対ずつ形成され、連結金具１は、反射板２１の長手端部の周囲に嵌合する弾性帯板状の連結体２と、該連結体２に開穿され、重合した一対の屈曲当接片２１Ａを挿入せしめる一対の挿入孔３とで構成され、隣接する反射板２１相互の長手端部に連結体２を嵌合すると共に、重合した屈曲当接片２１Ａを挿入孔３に挿入して隣接する照明器具２０相互を連結する連結金具１の構成にある。
【００１２】
第２の手段において、前記連結体２は、前記反射板２１の上端部に水平に係止する係止片２Ａと、該係止片２Ａから垂直に屈曲延長され前記反射板２１の側面に当接する垂直片２Ｂと、該垂直片２Ｂの下端部から水平に屈曲延長され前記反射板２１の反射面側に当接する当接片２Ｃとで形成され、該当接片２Ｃに前記挿入孔３が一対形成され、該挿入孔３の間に、キャノピースイッチ２４用の紐２４Ａを挿通する挿通口４を切欠状に設けたものである。
【００１３】
第３の手段は、樋状の照明カバー１０の下面開口部に装着され、断面倒コ字状を成した帯状の反射板２１と、該反射板２１の長手両端部に装着する直管形ランプＰ用のソケット２２と、該ソケット２２及び隣接する直管形ランプＰ用のソケット２２に電源を供給するコネクタ２３と、を備え、連続する照明器具２０の隣接する反射板２１の長手両端部が相互に重合するように、該反射板２１の長手両端部にそれぞれ下向きの屈曲当接片２１Ａが一対ずつ形成され、該屈曲当接片２１Ａの間に開口部２１Ｂが形成され、該開口部２１Ｂからコネクタ２３の連結状態を目視するように構成した照明器具２０と、重合した一対の屈曲当接片２１Ａを挿入せしめる一対の挿入孔３が開穿され、反射板２１の長手端部に嵌合して開口部２１Ｂを閉塞する弾性帯板状の連結体２を設けた連結金具１と、を備える照明装置の構成にある。
【発明の効果】
【００１４】
本発明の請求項１のごとく、当接した反射板２１相互の長手端部に連結体２を嵌合すると共に、重合した屈曲当接片２１Ａを挿入孔３に挿入して隣接した照明器具２０相互を連結する連結金具１の構成により、反射板２１相互間の隙間を閉塞すると共に、各照明器具２０の移動や屈曲当接片２１Ａの開きを防止する。この結果、照明カバーの下面に装着される直管形の照明器具を合理的、且つ強固に連設することができる。しかも、挿入孔３に挿入した屈曲当接片２１Ａの状態を目視するだけで、各照明器具２０の接続状態を確認することも可能である。
【００１５】
請求項２のように、連結体２は、前記反射板２１の上端部に水平に係止する係止片２Ａと、該係止片２Ａから垂直に屈曲延長され前記反射板２１の側面に当接する垂直片２Ｂと、該垂直片２Ｂの下端部から水平に屈曲延長され前記反射板２１の反射面に当接する当接片２Ｃとで形成され、該当接片２Ｃに前記挿入孔３を一対形成したことから、連結金具１の着脱が容易になる。また、該挿入孔３の間に、キャノピースイッチ２４用の紐２４Ａを挿通する挿通口４を切欠状に設けたことから、キャノピースイッチ２４が装着された照明器具２０を連結する場合でも、極めて容易に紐２４Ａを通すことができる。
【００１６】
請求項３のごとく、屈曲当接片２１Ａの間に開口部２１Ｂが形成され、該開口部２１Ｂからコネクタ２３の連結状態を目視するように構成した照明器具２０と、反射板２１長手端部の周囲に嵌合し、開口部２１Ｂを閉塞する弾性帯板状の連結体２を設けたことにより、連結金具１を装着していないときは、開口部２１Ｂからコネクタ２３の連結状態を目視することができる。また、連結金具１を装着したときは、この開口部２１Ｂを閉塞しながら直管形の照明器具を合理的、且つ強固に連設することができる。更に、照明カバー１０に照明器具２０を装着する構成を採用したことにより、照明器具２０には、直管形の蛍光灯の他、タイプの異なった直管形のＬＥＤランプも容易に装着することが可能になったものである。
【図面の簡単な説明】
【００１７】
【図１】本発明の使用状態の一実施例を示す正面図である。
【図２】本発明の照明カバーと照明器具を示す分解斜視図である。
【図３】本発明の連結金具を装着する状態を示す分解斜視図である。
【図４】本発明の連結金具を装着した状態を示す底面図である。
【図５】本発明の連結金具を装着した状態を示す正面図である。
【図６】本発明の連結金具を装着した状態を示す側面図である。
【図７】本発明のクリップ体の使用状態を示す側断面である。
【発明を実施するための形態】
【００１８】
本発明によると、照明カバーの下面に装着される直管形の照明器具を合理的、且つ強固に連設することができるなどといった当初の目的を達成した。
【００１９】
以下、本発明の実施例を説明する。本発明連結金具１は、樋状の照明カバー１０の下面開口部に装着される直管形ランプＰ用の照明器具２０を、直線状に連結する際に使用する連結金具である。
【００２０】
照明カバー１０は、樋状を成した形状で、天井等に吊り金具４０で吊下げられ、下を向いた開口部に照明器具２０を装着するように設けられている（図１参照）。すなわち、照明カバー１０を長手方向に連設した後に、照明器具２０を順次装着するものでこの照明器具２０の連結部分に連結金具１を装着する（図３参照）。
【００２１】
照明器具２０は、直管形の蛍光灯や直管形のＬＥＤランプからなる直管形ランプＰを装着する（図１参照）。照明器具２０の基本構成は、反射板２１、ソケット２２、コネクタ２３、クリップ体３０を備えている（図２参照）。
【００２２】
反射板２１は、断面倒コ字状を成した帯板状を成す（図３参照）。この反射板２１は、照明カバー１０の開口部を施蓋するように設けられている（図５参照）。更に、反射板２１の長手両端部にそれぞれ下向きの屈曲当接片２１Ａが一対ずつ形成されている（図２参照）。この屈曲当接片２１Ａは、連続する照明器具２０の隣接する反射板２１が相互に重合するように設けたものである（図５参照）。
【００２３】
ソケット２２は、反射板２１の長手両端部に装着する直管形ランプＰ用のソケット２２が備えられている（図５参照）。更に、コネクタ２３は、隣接する照明器具２０に電源を供給するもので、照明カバー１０の内部に沿って連設される（図２参照）。このような照明器具２０を、樋状の照明カバー１０の下面開口部に装着する構成により、直管形の蛍光灯や、タイプや方式が異なる直管形のＬＥＤランプでも対応した装着が可能になる。
【００２４】
連結金具１は、連結体２に一対の挿入孔３を開穿した構成である（図３参照）。連結体２は、反射板２１の長手端部の周囲に嵌合する弾性帯板状の部材である。連結体２の材質は、例えば、ばね用ステンレス鋼や、ばね鋼板、合成樹脂板も使用可能である。このような材質の連結体２を使用することにより、反射板２１の長手端部に装着する際の作業が容易に行えるものである。
【００２５】
図示の連結体２は、係止片２Ａ、垂直片２Ｂ、当接片２Ｃにて構成されている（図３参照）。係止片２Ａは、反射板２１の上端部に略水平に係止する部位である（図６参照）。また、垂直片２Ｂは、この係止片２Ａから垂直に屈曲延長され、反射板２１の側面に当接する部位である。更に、当接片２Ｃは、垂直片２Ｂの下端部から水平に屈曲延長され反射板２１の反射面側に当接する部位である。そして、この当接片２Ｃに挿入孔３が一対形成されている（図４参照）。
【００２６】
挿入孔３は、重合した一対の屈曲当接片２１Ａを挿入せしめるように設けられている（図６参照）。そして、当接した反射板２１相互の長手端部に連結体２を嵌合したときに、重合した屈曲当接片２１Ａを挿入孔３に挿入する（図４参照）。図示の挿入孔３は、重ねた屈曲当接片２１Ａに外嵌する長孔状を成している。更に、この挿入孔３の間に、キャノピースイッチ２４用の紐２４Ａを挿通する挿通口４を切欠状に設けている。
【００２７】
クリップ体３０は、照明器具２０を照明カバー１０の開口部に連結する部材である（図２参照）。このクリップ体３０は、反射板２１を貫通して照明カバー１０に係止するように構成されている。更に、このクリップ体３０で、反射板２１の上面にソケットベース２５を固定するものでもある。
【００２８】
図示のクリップ体３０は、連結ボルト３１と係止片３２とを備えている（図２参照）。すなわち、係止片３２は、照明カバー１０の開口フランジ１１に係止する帯状の部材である（図７参照）。一方、連結ボルト３１は、反射板２１の下面を貫通し、反射板２１上面の係止片３２に連結された部材である。
【００２９】
尚、本発明照明装置では、直管形ランプＰとして蛍光灯や直管形ＬＥＤランプを装着する照明器具２０を連結する際に使用するものであるが、本発明の使用例はこの例に限られるものではない。また、本発明の構成は図示例に限定されるものではなく、本発明の要旨を変更しない範囲での設計変更は自由である。
【符号の説明】
【００３０】
Ｐ  直管形ランプ
１  連結金具
２  連結体
２Ａ  係止片
２Ｂ  垂直片
２Ｃ  当接片
３  挿入孔
４  挿通口
１０  照明カバー
１１  開口フランジ
２０  照明器具
２１  反射板
２１Ａ  屈曲当接片
２１Ｂ  開口部
２２  ソケット
２３  コネクタ
２４  キャノピースイッチ
２４Ａ  紐
３０  クリップ体
３１  連結ボルト
３２  係止片
４０  吊り金具
【要約】
【課題】照明カバーの下面に装着される直管形の照明器具を合理的、且つ強固に連設することができる照明器具の連結金具及び照明装置を提供する。
【解決手段】照明器具２０に断面倒コ字状を成した帯状の反射板２１を設ける。該反射板２１の長手両端部に装着する直管形ランプＰ用のソケット２２を設ける。ソケット２２に電源を供給するコネクタ２３を設ける。反射板２１の長手両端部に下向きの屈曲当接片２１Ａを一対ずつ形成する。連結金具１は、反射板２１長手端部の周囲に嵌合する弾性帯板状の連結体２と、該連結体２に、重合した一対の屈曲当接片２１Ａを挿入せしめるように開穿された一対の挿入孔３とで構成され、連結金具１に連結体２を設け、当接した反射板２１相互の長手端部に嵌合する。重合した屈曲当接片２１Ａを挿入する挿入孔３を設ける。
【選択図】  図３【図１】
0005450779.tif 000002
【図２】
0005450779.tif 000003
【図３】
0005450779.tif 000004
【図４】
0005450779.tif 000005
【図５】
0005450779.tif 000006
【図６】
0005450779.tif 000007
【図７】
0005450779.tif 000008